(57)【要約】【課題】印刷された紙を見るだけで、患者の救護区分を確認できるようにする。【解決手段】ディスプレイに表示されている待機画面データをプリンターにより印刷するための印刷指示操作部が操作された場合に、色の違いにより識別する救護区分情報が待機画面データに含まれているか否かを制御部にて判定し、その救護区分情報が待機画面データに含まれていると制御部にて判定した場合に、プリンターの印刷モードをカラー印刷モードに切り替える切替信号をプリンターに出力するようにしている。これにより、色の違いにより識別する救護区分情報が含まれる待機画面データを印刷する際に、常にカラー印刷モードにて印刷が行われるので、印刷した紙に表示される救護区分情報もカラーとなり、印刷した紙を見た医療従事者などが患者の救護区分を確実に識別することができる。【選択図】図２
2015159917.tif 000002
【特許請求の範囲】
【請求項１】
患者が使用するナースコール子機からの呼び出しに対してナースコール親機にて応答可能に成されたナースコールシステムであって、
前記ナースコール親機は、前記ナースコール親機にて指定された情報を、カラー印刷モードおよび白黒印刷モードの何れかの印刷モードにて印刷するプリンターを接続可能であり、
前記患者の氏名の情報を含む患者情報と、色の違いにより前記患者の救護区分を区別する救護区分情報とを患者毎に記憶する記憶部と、
前記ナースコール親機に設けられたディスプレイに様々な情報を表示させる表示制御部と、
前記ディスプレイに表示されている待機画面を前記プリンターにて印刷する際に操作される印刷指示操作部と、
前記印刷指示操作部が操作された場合に、前記ディスプレイに前記救護区分情報が表示されているか否かを判定し、前記ディスプレイに前記救護区分情報が表示されていると判定したときには、前記プリンターの前記印刷モードを強制的にカラー印刷モードに切り替えるとともに前記ディスプレイに表示されている待機画面の画像データを前記プリンターに出力し、前記ディスプレイに前記救護区分情報が表示されていないと判定したときには、前記プリンターの前記印刷モードを切り替えず、前記ディスプレイに表示されている待機画面の画像データを前記プリンターに出力する制御部と、
を備えたことを特徴とするナースコールシステム。
【請求項２】
患者が使用するナースコール子機からの呼び出しに対してナースコール親機にて応答可能に成されたナースコールシステムであって、
前記ナースコール親機は、前記ナースコール親機にて指定された情報を、カラー印刷モードおよび白黒印刷モードの何れかの印刷モードにて印刷するプリンターを接続可能であり、
前記患者の氏名の情報を含む患者情報と、色の違いにより前記患者の救護区分を区別する救護区分情報とを患者毎に記憶する記憶部と、
前記ナースコール親機に設けられたディスプレイに様々な情報を表示させる表示制御部と、
前記ディスプレイに表示されている待機画面を前記プリンターにて印刷する際に操作される印刷指示操作部と、
前記印刷指示操作部が操作された場合に、前記プリンターの印刷モードが白黒印刷モードであるか否かを判定するとともに、前記ディスプレイに前記救護区分情報が表示されているか否かを判定し、前記プリンターの印刷モードが白黒印刷モードであると判定し、かつ、前記ディスプレイに前記救護区分情報が表示されていると判定したときには、前記プリンターにより印刷される救護区分情報に該当する部分を文字情報に置換した待機画面の画像データを生成して前記プリンターに出力し、前記プリンターの印刷モードがカラー印刷モードであると判定した際、または、前記ディスプレイに前記救護区分情報が表示されていないと判定した際には、前記ディスプレイに表示されている待機画面の画像データをそのまま前記プリンターに出力する制御部と、
を備えたことを特徴とするナースコールシステム。
【発明の詳細な説明】
【技術分野】
【０００１】
本発明は、ナースコール子機からの呼び出しに対してナースコール親機で応答可能に成されたナースコールシステムに関する。
【背景技術】
【０００２】
一般に、病院や介護施設などでは、患者や被介護者（以下、単に患者と記載する）と看護師や介護師（以下、医療従事者と記載する）との連絡に、ナースコールシステムが用いられている。このようなナースコールシステムでは、患者がナースコール子機の呼出ボタンを押下して呼び出しを行うと、呼び出しが行われたことがナースコール親機にて報知される。
【０００３】
ここで、ナースコール親機としてパーソナル・コンピューターを用いたものでは、ナースコール子機からの呼び出しがないときには所定の待機画面をディスプレイに表示していて、ナースコール子機からの呼び出しが行われると、呼び出しを行った患者の情報（患者氏名、部屋番号、ベッド番号など）をポップアップ画面としてディスプレイに表示している。このようなナースコール子機からの呼び出しに対して、医療従事者がナースコール親機のハンドセットなどによって応答すると、患者と医療従事者との間で通話が可能となる。
【０００４】
なお、上述した待機画面としては、入院している患者の情報をレイアウトに従って表示するレイアウト画面や、入院している患者の情報を一覧表示するボード形画面が存在している。また、待機画面やポップアップ画面に表示される患者の情報には、患者氏名、部屋番号、ベッド番号とともに救護区分が表示されることがある（例えば、特許文献１を参照）。救護区分とは、緊急時に医療従事者が患者を救護する際に、患者をどのように救護するのかを表す情報であり、担送、護送、独歩のように大別されている。
【０００５】
担送とは、医療従事者が患者を担架に乗せて救護する必要があることを意味する。護送とは、医療従事者が患者に付き添い守りながら救護する必要があることを意味する。例えば、医療従事者が患者に肩を貸したり、車椅子を用意したりする場合などが護送に該当する。独歩とは、基本的にその患者は一人で歩くことができるため、救護が不要であることを意味する。
【０００６】
このように、救護区分は、患者を救護する際の救護方法を表す情報であるが、この救護区分は、担送、護送、独歩との文字により表示する場合と、担送、護送、独歩をそれぞれ表す色により表示する場合と、この二つを併せて表示する場合とがある。ここで、救護区分を表す色は病院毎に異なることがあり、担送は、赤やピンクなどの色により表され、護送は、黄色や緑などにより表され、独歩は、白や緑などにより表されることがある。
【先行技術文献】
【特許文献】
【０００７】
【特許文献１】特開２０１３−１５０６７６号公報
【発明の概要】
【発明が解決しようとする課題】
【０００８】
ところで、病院によっては、ナースコール親機のディスプレイに表示されているレイアウト画面やボード形画面をプリンターにて印刷し、印刷した紙を用いて患者の情報を確認することが行われている。
【０００９】
しかしながら、患者の情報として色にて区別される救護区分情報が含まれている場合に、ナースコール親機のディスプレイに表示されているレイアウト画面やボード形画面を印刷したとき、プリンターの設定がカラー印刷に設定されていれば問題ないが、プリンターの設定が白黒印刷に設定されている際には、印刷した紙を見ても患者の救護区分を識別することができないという問題があった。
【００１０】
本発明は、このような問題を解決するために成されたものであり、印刷された紙を見るだけで、患者の救護区分を確認できるようにすることを目的とする。
【課題を解決するための手段】
【００１１】
上記した課題を解決するために、本発明では、ナースコール親機のディスプレイに表示されている画面の中に、色の違いにより識別する救護区分情報が含まれている場合に、ディスプレイに表示されている情報の印刷の指示が行われたとき、プリンターの印刷モードを強制的にカラー印刷モードに設定して印刷するようにしている。
【００１２】
また、本発明の他の態様によれば、ナースコール親機のディスプレイに表示されている画面の中に、色の違いにより識別する救護区分情報が含まれている場合、かつ、プリンターの印刷モードが白黒印刷モードに設定されている場合に、ディスプレイに表示されている情報の印刷の指示が行われたとき、印刷される紙の救護区分情報に該当する部分を文字情報に置換して印刷するようにしている。
【発明の効果】
【００１３】
上記のように構成した本発明によれば、色の違いにより識別する救護区分情報が含まれる画面を印刷する際に、常にカラー印刷モードにて印刷が行われるので、印刷した紙に表示される救護区分もカラーとなり、印刷した紙を見た医療従事者などが患者の救護区分を確実に識別することができる。
【００１４】
また、本発明の他の態様によれば、色の違いにより識別する救護区分情報が含まれる画面を印刷する際に、プリンターの印刷モードが白黒印刷モードである場合に、画面の救護区分情報に該当する部分が文字情報に置換されて印刷が行われるので、印刷した紙に救護区分情報が文字にて表示されて、印刷した紙を見た医療従事者などが患者の救護区分を確実に識別することができる。
【図面の簡単な説明】
【００１５】
【図１】本実施形態によるナースコールシステムの構成例を示すブロック図である。
【図２】本実施形態のプリンターにて印刷された紙の例を示す図である。
【図３】変形例のプリンターにて印刷された紙の例を示す図である。
【発明を実施するための形態】
【００１６】
以下、本発明の一実施形態を図面に基づいて説明する。なお、ここでは病院に設置される看護支援用のナースコールシステムを例にとって説明するが、本実施形態のナースコールシステムは、病院に設置されるものに限定されない。例えば、介護施設等に設置される場合にも適用可能である。図１は、本実施形態によるナースコールシステムの構成例を示すブロック図である。図１において、１はナースコール子機であり、患者のベッドの近傍に設置され、患者などにより医療従事者を呼び出す際に使用される。ここで、ナースコール子機１は、各患者に対して設置されている。また、ナースコール子機１は、子機制御部２、呼出操作部３、子機インターフェース４を備えて構成されている。
【００１７】
１０はナースコール親機であり、医療従事者が常駐するナースステーションなどに設置されており、医療従事者によって患者からの呼び出しに応答する際や、入院している患者の情報をレイアウトに従って表示するレイアウト画面や、入院している患者の情報を一覧表示するボード形画面を印刷する際に使用される。
【００１８】
ここで、ナースコール親機１０は、制御部１１、インターフェース１２、記憶部１３、スピーカー１４、表示制御部１５、ディスプレイ１６、応答操作部１７、印刷指示操作部１８を備えて構成されている。なお、医療従事者が携行する携帯端末に上述したスピーカー１４、表示制御部１５、ディスプレイ１６、および、応答操作部１７の機能を持たせるようにしても良い。
【００１９】
プリンター２０は、上述したレイアウト画面やボード形画面などを印刷するためのものであり、ナースコール親機１０から画像データを入力し、印刷した紙を出力する。ここで、プリンター２０は、カラーで印刷を行うカラー印刷モードと、白黒で印刷を行う白黒印刷モードとを選択して実行可能である。なお、プリンター２０は、上述したレイアウト画面やボード形画面以外にも各患者の予定表や看護記録などの様々な情報を印刷するために使用される。このようにプリンター２０では様々な情報が印刷されるため、印刷を行う医療従事者は、印刷される情報により、カラー印刷モードおよび白黒印刷モードの何れかの印刷モードを選択して印刷を行う。
【００２０】
また、ナースコール子機１とナースコール親機１０との間には、廊下灯や制御機（ともに図示せず）が接続されている。廊下灯は、病室内の患者の氏名を表示するとともに、病室内の患者が呼び出しを行った場合に呼び出しが行われたことを表示する。また、制御機は、ナースコール子機１とナースコール親機１０との通信の制御を行う。
【００２１】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、ボタンにより構成されており、患者が医療従事者を呼び出したいときに操作される。子機制御部２は、呼出操作部３が操作された際に呼出信号を生成する。ここで、呼出信号には、このナースコール子機１を他のナースコール子機１と識別するための識別情報が含まれる。また、子機識別情報としては、ベッド番号などの情報を用いる。
【００２２】
子機インターフェース４は、ナースコール子機１とナースコール親機１０とを接続して通信を行うためのものである。このように構成されたナースコール子機１において、呼出操作部３が操作されると、子機制御部２は呼出信号を生成して子機インターフェース４によりナースコール親機１０へ出力する。なお、ナースコール子機１とナースコール親機１０との間で通話が可能な場合は、このインターフェース１２は、音声信号のやり取りも行う。
【００２３】
次に、ナースコール親機１０の各構成要素について説明する。制御部１１は、ナースコール親機１０の各構成要素を後述するように制御するためのものであり、ＣＰＵなどにより構成されている。インターフェース１２は、ナースコール親機１０とナースコール子機１とを接続して通信を行うためのものである。ここで、インターフェース１２は、ナースコール子機１から出力された呼出信号を入力する。なお、ナースコール子機１とナースコール親機１０との間で通話が可能な場合は、このインターフェース１２は、音声信号のやり取りも行う。また、インターフェース１２は、ナースコール親機１０にプリンター２０を接続して通信を行う。ここで、インターフェース１２は、プリンター２０に対して印刷データを出力する。
【００２４】
記憶部１３は、ナースコール子機１の子機識別情報（ここではベッド番号）と、この子機識別情報によって特定されるナースコール子機１を使用する患者を特定するための患者の氏名の情報などを含む患者情報とを関連付けて予め記憶している。また、記憶部１３は、患者情報と各患者の救護区分情報とを関連付けて予め記憶している。また、記憶部１３は、後述するディスプレイ１６に表示されるレイアウト画面やボード形画面の画像データを記憶している。ここで、救護区分情報は、「担送」、「護送」、「独歩」から成り、それぞれ色によって区別されている。例えば、「担送」は赤により表され、「護送」は黄色により表され、「独歩」は緑により表される。なお、救護区分情報は患者情報に含まれることもある。
【００２５】
スピーカー１４は、患者による呼び出しが行われたことを示す報知音を出力する。表示制御部１５は、記憶部１３に記憶されている画像データと、子機識別情報と、患者情報と、救護区分情報とを用いて待機画面データを生成するとともに、患者による呼び出しが行われたことを示すポップアップ画像データを生成する。
【００２６】
ディスプレイ１６は、表示制御部１５により生成された待機画面データおよびポップアップ画像データにより待機画面およびポップアップ画像を表示する。ここで、待機画面データとしては、病院内における病室などのレイアウトに沿って患者情報を表示するレイアウト画面データや患者情報を一覧形式で表示するボード形画面データがあり、選択的にディスプレイ１６に表示される。また、待機画面に表示される情報としては、子機識別情報（ベッド番号情報）、患者情報、救護区分情報などがあり、これらが選択的に表示される。また、患者が居る病室を特定するために、病室番号情報も待機画面に表示される。
【００２７】
応答操作部１７は、スピーカー１４が報知音と出力し、ディスプレイ１６にポップアップ画像が表示されている状態（すなわち、報知を行っている状態）で操作可能となり、医療従事者が患者からの呼び出しに対して応答する際に使用される。ここで、応答操作部１７は、ハンドセット（図示せず）などにより構成されており、ハンドセットをオフフックすることで応答することが可能である。また、ハンドセットはマイクおよびスピーカー（ともに図示せず）を備えており、ナースコール子機１にマイクおよびスピーカーが設置されている場合には、ナースコール親機１０とナースコール子機１との間で通話が可能となる。
【００２８】
印刷指示操作部１８は、インターフェース１２に接続されているプリンター２０に対して、ディスプレイ１６に表示されている画面の印刷を指示するためのものである。医療従事者が印刷指示操作部１８を操作すると、制御部１１は、ディスプレイ１６に表示されている待機画面に救護区分情報が含まれるか否かを判定する。ディスプレイ１６に表示されている待機画面に救護区分情報が含まれていないと制御部１１にて判定した場合には、制御部１１は、待機画面の画像データをインターフェース１２によりプリンター２０へ出力する。画像データを入力したプリンター２０は、現在の印刷モード（カラー印刷モードまたは白黒印刷モード）のまま画像データの印刷を実行する。
【００２９】
一方、ディスプレイ１６に救護区分情報が含まれていると制御部１１にて判定した場合には、制御部１１は、待機画面の画像データをインターフェース１２によりプリンター２０へ出力するとともに、プリンター２０の印刷モードをカラー印刷モードへと切り替えるためのモード切替信号をインターフェース１２によりプリンター２０へ出力する。画像データおよび切替信号を入力したプリンター２０は、印刷モードをカラー印刷モードに切り替え（既にカラー印刷モードである場合にはそれを継続し）、画像データの印刷を実行する。
【００３０】
このように構成されたナースコールシステムにおいて、プリンター２０により印刷された紙は、例えば図２に示すようなものとなる。すなわち、印刷された紙において、各患者の救護区分は色により明確に区別されており、これを見た医療従事者は、各患者の救護区分を明確に区別することができる。
【００３１】
以上詳しく説明したように、本実施形態では、ナースコール親機１０のディスプレイ１６に表示されている待機画面データをプリンター２０により印刷するための印刷指示操作部１８が操作された場合に、色の違いにより識別する救護区分情報が待機画面データに含まれているか否かを制御部１１にて判定し、その救護区分情報が待機画面データに含まれていると制御部１１にて判定した場合に、プリンター２０の印刷モードをカラー印刷モードに切り替える切替信号をプリンター２０に出力するようにしている。
【００３２】
これにより、色の違いにより識別する救護区分情報が含まれる待機画面データを印刷する際に、常にカラー印刷モードにて印刷が行われるので、印刷した紙に表示される救護区分情報もカラーとなり、印刷した紙を見た医療従事者などが患者の救護区分を確実に識別することができる。
【００３３】
なお、前述した実施形態では、プリンター２０の印刷モードを強制的にカラー印刷モードにしているが、これに限定されない。例えば、色の違いにより識別する救護区分情報が待機画面データに含まれ、かつ、プリンター２０の印刷モードが白黒印刷モードであると判定された場合に、待機画面データの救護区分情報に該当する部分を文字情報に置換して印刷させるようにしても良い。
【００３４】
具体的には、医療従事者が印刷指示操作部１８を操作すると、制御部１１は、インターフェース１２にてプリンター２０の印刷モードの情報を取得するとともに、ディスプレイ１６に表示されている待機画面に救護区分情報が含まれるか否かを判定する。プリンター２０の印刷モードが白黒印刷モードであり、かつ、ディスプレイ１６に表示されている待機画面に救護区分情報が含まれていると制御部１１にて判定した場合には、制御部１１は、待機画面の画像データにおける救護区分情報に該当する部分を、その救護区分情報を示す文字列に置換してインターフェース１２によりプリンター２０へ出力する。画像データを入力したプリンター２０は、例えば図３に示すような紙を印刷する。すなわち、印刷された紙において、各患者の救護区分は文字列により明確に区別されており、これを見た医療従事者は、各患者の救護区分を明確に区別することができる。
【００３５】
また、この変形例によれば、待機画面の画像データを加工するだけで、プリンター２０の印刷モードを強制的に変更する必要がなくなるため、プリンター２０がどのような機種であっても対応することが可能となる。
【００３６】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３７】
１    ナースコール子機
２    子機制御部
３    呼出操作部
４    子機インターフェース
１０    ナースコール親機
１１    制御部
１２    インターフェース
１３    記憶部
１４    スピーカー
１５    表示制御部
１６    ディスプレイ
１７    応答操作部
１８    印刷指示操作部
２０    プリンター
【図１】
2015159917.tif 000003
【図２】
2015159917.tif 000004
【図３】
2015159917.tif 000005